【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
光学レンズを透過して撮像素子に導かれる光の光軸に沿って配され、該光軸に沿った中心軸を基準としてそれぞれ回動することにより該光を屈折させて前記撮像素子に導かれる像のぶれを補正する第１及び第２の屈折素子と、
前記中心軸に対して直交する平面における該中心軸を基準として２分割される領域のうちの１８０度以内の一方の領域内に設けられて前記第１の屈折素子を外周側で支持する第１の支持部と、
前記２分割される領域のうちの１８０度以内の他方の領域内に設けられて前記第２の屈折素子を外周側で支持する第２の支持部と、
前記第１及び第２の支持部を、前記中心軸に対して直交する面で、前記中心軸を中心として回動可能に３点以上で支持するベース部と、
前記第１及び第２の支持部が設けられるそれぞれの領域内に配され、前記第１及び第２の支持部を該領域内だけで前記中心軸を中心として回動駆動することにより前記第１及び第２の屈折素子を回動させる第１及び第２の駆動機構と
を有し、
前記第１及び第２の駆動機構は、
前記ベース部又は前記第１及び第２の支持部のどちらか一方に配される第１及び第２の磁石と、
前記ベース部又は前記第１及び第２の支持部の他方に、前記第１及び第２の磁石と対向する位置に配され、電流が印加されることにより前記第１及び第２の磁石との間で発生する電磁力により前記第１及び第２の支持部を回動させる第１及び第２のコイルと、
前記ベース部又は前記第１及び第２の支持部の他方に、前記第１及び第２の磁石とそれぞれ対向する位置に配され、前記第１及び第２の磁石との間に生じる磁力により前記第１及び第２の支持部を前記ベース部に押し付ける第１及び第２のヨークと
を有し、
前記第１の磁石の中心が前記第１の支持部を支持する点を結ぶ多角形内に位置し、前記第２の磁石中心が前記第２の支持部を支持する点を結ぶ多角形内に位置する
像ぶれ補正ユニット。
【請求項２】
前記第１及び第２の支持部は、同一平面上において前記ベース部の面に支持される
請求項１に記載の像ぶれ補正ユニット。
【請求項３】
前記第１及び第２の支持部は、
互いに隣接して配された際に前記中心軸を中心とした所定範囲の空間を形成するよう隣接部分が切欠され、前記第１及び第２の屈折素子を前記空間内で、中心軸方向に前記第１及び第２の屈折素子が所定間隔離れて対向するよう、前記第１の支持部は中心軸方向における一端側に前記第１の屈折素子を支持し、前記第２の支持部は中心軸方向における前記一端側とは反対の他端側に前記第２の屈折素子を支持する
請求項１に記載の像ぶれ補正ユニット。
【請求項４】
前記第１及び第２の支持部は、
前記ベース部に対して、前記中心軸を中心とした同心円状でそれぞれ３点以上で支持される
請求項１に記載の像ぶれ補正ユニット。
【請求項５】
カメラのぶれを検出して補正する像ぶれ補正装置であって、
前記カメラのぶれを検出するぶれ検出部と、
前記カメラに設けられる光学レンズを透過して撮像素子に導かれる光の光軸に沿って配され、該光軸に沿った中心軸を基準としてそれぞれ回動することにより該光を屈折させて前記撮像素子に導かれる像のぶれを補正する第１及び第２の屈折素子と、
前記中心軸に対して直交する平面における該中心軸を基準として２分割される領域のうちの１８０度以内の一方の領域内に設けられて前記第１の屈折素子を外周側で支持する第１の支持部と、
前記２分割される領域のうちの１８０度以内の他方の領域内に設けられて前記第２の屈折素子を外周側で支持する第２の支持部と、
前記第１及び第２の支持部を、前記中心軸に対して直交する面で、前記中心軸を中心として回動可能に３点以上で支持するベース部と、
前記第１及び第２の支持部が設けられるそれぞれの領域内に配され、前記第１及び第２の支持部を該領域内だけで前記中心軸を中心として回動駆動することにより前記第１及び第２の屈折素子を回動させる第１及び第２の駆動機構と
を有し、
前記第１及び第２の駆動機構は、
前記ベース部又は前記第１及び第２の支持部のどちらか一方に配される第１及び第２の磁石と、
前記ベース部又は前記第１及び第２の支持部の他方に、前記第１及び第２の磁石と対向する位置に配され、電流が印加されることにより前記第１及び第２の磁石との間で発生する電磁力により前記第１及び第２の支持部を回動させる第１及び第２のコイルと、
前記ベース部又は前記第１及び第２の支持部の他方に、前記第１及び第２の磁石とそれぞれ対向する位置に配され、前記第１及び第２の磁石との間に生じる磁力により前記第１及び第２の支持部を前記ベース部に押し付ける第１及び第２のヨークと
を有し、
前記第１の磁石の中心が前記第１の支持部を支持する点を結ぶ多角形内に位置し、前記第２の磁石中心が前記第２の支持部を支持する点を結ぶ多角形内に位置する
像ぶれ補正装置。
【請求項６】
光の光軸に沿って配され、該光軸に沿った中心軸を基準としてそれぞれ回動することにより該光を屈折させる第１及び第２の屈折素子と、
前記中心軸に対して直交する平面における該中心軸を基準として２分割される領域のうちの１８０度以内の一方の領域内に設けられて前記第１の屈折素子を外周側で支持する第１の支持部と、
前記２分割される領域のうちの１８０度以内の他方の領域内に設けられて前記第２の屈折素子を外周側で支持する第２の支持部と、
前記第１及び第２の支持部を、前記中心軸に対して直交する面で、前記中心軸を中心として回動可能に３点以上で支持するベース部と、
前記第１及び第２の支持部が設けられるそれぞれの領域内に配され、前記第１及び第２の支持部を該領域内だけで前記中心軸を中心として回動駆動することにより前記第１及び第２の屈折素子を回動させる第１及び第２の駆動機構と
を有し、
前記第１及び第２の駆動機構は、
前記ベース部又は前記第１及び第２の支持部のどちらか一方に配される第１及び第２の磁石と、
前記ベース部又は前記第１及び第２の支持部の他方に、前記第１及び第２の磁石と対向する位置に配され、電流が印加されることにより前記第１及び第２の磁石との間で発生する電磁力により前記第１及び第２の支持部を回動させる第１及び第２のコイルと、
前記ベース部又は前記第１及び第２の支持部の他方に、前記第１及び第２の磁石とそれぞれ対向する位置に配され、前記第１及び第２の磁石との間に生じる磁力により前記第１及び第２の支持部を前記ベース部に押し付ける第１及び第２のヨークと
を有し、
前記第１の磁石の中心が前記第１の支持部を支持する点を結ぶ多角形内に位置し、前記第２の磁石中心が前記第２の支持部を支持する点を結ぶ多角形内に位置する
光学装置。
【手続補正２】
【補正対象書類名】明細書
【補正対象項目名】００１２
【補正方法】変更
【補正の内容】
【００１２】
かかる課題を解決するため本発明においては、像ぶれ補正ユニットであって、光学レンズを透過して撮像素子に導かれる光の光軸に沿って配され、該光軸に沿った中心軸を基準としてそれぞれ回動することにより該光を屈折させて撮像素子に導かれる像のぶれを補正する第１及び第２の屈折素子と、中心軸に対して直交する平面における該中心軸を基準として２分割される領域のうちの１８０度以内の一方の領域内に設けられて第１の屈折素子を外周側で支持する第１の支持部と、２分割される領域のうちの１８０度以内の他方の領域内に設けられて第２の屈折素子を外周側で支持する第２の支持部と、第１及び第２の支持部を、中心軸に対して直交する面で、中心軸を中心として回動可能に３点以上で支持するベース部と、第１及び第２の支持部が設けられるそれぞれの領域内に配され、第１及び第２の支持部を該領域内だけで中心軸を中心として回動駆動することにより第１及び第２の屈折素子を回動させる第１及び第２の駆動機構とを有し、第１及び第２の駆動機構は、ベース部又は第１及び第２の支持部のどちらか一方に配される第１及び第２の磁石と、ベース部又は第１及び第２の支持部の他方に、第１及び第２の磁石と対向する位置に配され、電流が印加されることにより第１及び第２の磁石との間で発生する電磁力により第１及び第２の支持部を回動させる第１及び第２のコイルと、ベース部又は第１及び第２の支持部の他方に、第１及び第２の磁石とそれぞれ対向する位置に配され、第１及び第２の磁石との間に生じる磁力により第１及び第２の支持部をベース部に押し付ける第１及び第２のヨークとを有し、第１の磁石の中心が第１の支持部を支持する点を結ぶ多角形内に位置し、第２の磁石中心が第２の支持部を支持する点を結ぶ多角形内に位置する。
【手続補正３】
【補正対象書類名】明細書
【補正対象項目名】００１３
【補正方法】変更
【補正の内容】
【００１３】
また本発明においては、カメラのぶれを検出して補正する像ぶれ補正装置であって、カメラのぶれを検出するぶれ検出部と、カメラに設けられる光学レンズを透過して撮像素子に導かれる光の光軸に沿って配され、該光軸に沿った中心軸を基準としてそれぞれ回動することにより該光を屈折させて撮像素子に導かれる像のぶれを補正する第１及び第２の屈折素子と、中心軸に対して直交する平面における該中心軸を基準として２分割される領域のうちの１８０度以内の一方の領域内に設けられて第１の屈折素子を外周側で支持する第１の支持部と、２分割される領域のうちの１８０度以内の他方の領域内に設けられて第２の屈折素子を外周側で支持する第２の支持部と、第１及び第２の支持部を、中心軸に対して直交する面で、中心軸を中心として回動可能に３点以上で支持するベース部と、第１及び第２の支持部が設けられるそれぞれの領域内に配され、第１及び第２の支持部を該領域内だけで中心軸を中心として回動駆動することにより第１及び第２の屈折素子を回動させる第１及び第２の駆動機構とを有し、第１及び第２の駆動機構は、ベース部又は第１及び第２の支持部のどちらか一方に配される第１及び第２の磁石と、ベース部又は第１及び第２の支持部の他方に、第１及び第２の磁石と対向する位置に配され、電流が印加されることにより第１及び第２の磁石との間で発生する電磁力により第１及び第２の支持部を回動させる第１及び第２のコイルと、ベース部又は第１及び第２の支持部の他方に、第１及び第２の磁石とそれぞれ対向する位置に配され、第１及び第２の磁石との間に生じる磁力により第１及び第２の支持部をベース部に押し付ける第１及び第２のヨークとを有し、第１の磁石の中心が第１の支持部を支持する点を結ぶ多角形内に位置し、第２の磁石中心が第２の支持部を支持する点を結ぶ多角形内に位置する。
【手続補正４】
【補正対象書類名】明細書
【補正対象項目名】００１４
【補正方法】変更
【補正の内容】
【００１４】
また本発明においては、光学装置であって、光の光軸に沿って配され、該光軸に沿った中心軸を基準としてそれぞれ回動することにより該光を屈折させる第１及び第２の屈折素子と、中心軸に対して直交する平面における該中心軸を基準として２分割される領域のうちの１８０度以内の一方の領域内に設けられて第１の屈折素子を外周側で支持する第１の支持部と、２分割される領域のうちの１８０度以内の他方の領域内に設けられて第２の屈折素子を外周側で支持する第２の支持部と、第１及び第２の支持部を、中心軸に対して直交する面で、中心軸を中心として回動可能に３点以上で支持するベース部と、第１及び第２の支持部が設けられるそれぞれの領域内に配され、第１及び第２の支持部を該領域内だけで中心軸を中心として回動駆動することにより第１及び第２の屈折素子を回動させる第１及び第２の駆動機構とを有し、第１及び第２の駆動機構は、ベース部又は第１及び第２の支持部のどちらか一方に配される第１及び第２の磁石と、ベース部又は第１及び第２の支持部の他方に、第１及び第２の磁石と対向する位置に配され、電流が印加されることにより第１及び第２の磁石との間で発生する電磁力により第１及び第２の支持部を回動させる第１及び第２のコイルと、ベース部又は第１及び第２の支持部の他方に、第１及び第２の磁石とそれぞれ対向する位置に配され、第１及び第２の磁石との間に生じる磁力により第１及び第２の支持部をベース部に押し付ける第１及び第２のヨークとを有し、第１の磁石の中心が第１の支持部を支持する点を結ぶ多角形内に位置し、第２の磁石中心が第２の支持部を支持する点を結ぶ多角形内に位置する。
【手続補正５】
【補正対象書類名】明細書
【補正対象項目名】００１５
【補正方法】変更
【補正の内容】
【００１５】
これにより、第１及び第２の屈折素子の外周側に設けられて２分割される１８０度以内のそれぞれの領域内で回動する第１及び第２の支持部を、該第１及び第２の支持部が支持される点を結ぶ多角形内に位置する磁石及びヨークの間に生じる磁力によりベース部に押し付けて保持することにより、第１及び第２の支持部が他方の領域に入り込むことなく、かつ別途設ける必要がなく第１及び第２の支持部をベース部に保持することができる。
【手続補正６】
【補正対象書類名】明細書
【補正対象項目名】００１６
【補正方法】変更
【補正の内容】
【００１６】
以上のように本発明によれば、第１及び第２の屈折素子の外周側に設けられて２分割される１８０度以内のそれぞれの領域内で回動する第１及び第２の支持部を、該第１及び第２の支持部が支持される点を結ぶ多角形内に位置する磁石及びヨークの間に生じる磁力によりベース部に押し付けて保持することにより、第１及び第２の支持部が他方の領域に入り込むことなく、かつ別途設ける必要がなく第１及び第２の支持部をベース部に保持することができ、かくして小型化することができる。
【手続補正７】
【補正対象書類名】明細書
【補正対象項目名】００３４
【補正方法】変更
【補正の内容】
【００３４】
プリント板３１は、ベース板１１の開口部１１Ａに対応する位置に該開口部１１Ａより若干大きな開口部３１Ａが設けられる。またプリント板３１には、ベース部１０の２か所のネジ穴支柱部１３Ａ及び１３Ｂがそれぞれ挿通される孔部３１Ｂ及び３１Ｃが設けられる。
【手続補正８】
【補正対象書類名】明細書
【補正対象項目名】００５１
【補正方法】変更
【補正の内容】
【００５１】
ここで磁石５５はヨーク５６より面方向の外形が若干小さい。従って孔部５１Ｂは、磁石５５及びヨーク５６の外縁形状に合わせて形成されることにより、Ｚ軸方向にかけて孔の大きさが小さくなる段差５１Ｂ１が形成される。
【手続補正９】
【補正対象書類名】明細書
【補正対象項目名】００６１
【補正方法】変更
【補正の内容】
【００６１】
ボール溝１２Ａ〜１２Ｃ及びボール溝４１Ｄ〜４１Ｆは、プリズム支持部４１が最も左又は右に回動してネジ溝１３Ａが設けられたネジ穴支柱部１３とプリズム支持部４１の孔部４１Ｃが接触した際に、ボール１７Ａ〜１７Ｃがボール溝の両端に接触することがないように、その大きさが決定される。
【手続補正１０】
【補正対象書類名】明細書
【補正対象項目名】００９０
【補正方法】変更
【補正の内容】
【００９０】
マイクロコンピュータ６１は、ホール素子３２及び３３により検出されホール素子ドラバ７７及び７８を介して供給される磁界信号を所定間隔ごとに取得し、該磁界信号に基づいて回転子ユニット４０及び５０の回動速度及び回転角度を算出する。
【手続補正１１】
【補正対象書類名】明細書
【補正対象項目名】０１００
【補正方法】変更
【補正の内容】
【０１００】
以上の構成によれば、レンズ群５を透過して撮像素子４に導かれる光を屈折させるウェッジプリズム４２及び５２が中心軸Ｌ２と直交する同一平面上に配されて回動可能なプリズム支持部４１及び５１に支持され、互いに隣接して配された際に形成される空間にウェッジプリズム４２及び５２が中心軸Ｌ２に沿って所定間隔離れて対向するよう、プリズム支持部４１は中心軸Ｌ２に沿った一端側にウェッジプリズム４２を支持し、プリズム支持部５１は中心軸Ｌ２に沿った他端側にウェッジプリズム５２を支持することにより、中心軸Ｌ２に沿って所定間隔離れて対向するよう配されなければならないウェッジプリズム４２及び５２を支持するプリズム支持部４１及び５１を同一平面上に配するようにしたので光軸方向の厚さを薄くすることができ、かくして小型化することができる。